(57)【要約】【課題】無線接続を行う際に、無線接続の相手先となる機器のデバイスＩＤを取得する際には、Ｉｎｑｕｉｒｙの処理等に多大な処理時間を有し、音楽情報等を送信する場合には品質を低下させる問題があった。【解決手段】本発明では、音楽再生装置１０と無線接続するワイヤレスヘッドフォン１２にて、このワイヤレスヘッドフォン１２のデバイスＩＤをバーコード６２の形で保持し、音楽再生装置１０は、バーコードで保持されているデバイスＩＤをバーコードリーダ３０で読取ることで、ワイヤレスヘッドフォンのデバイスＩＤを識別し、この識別結果に基づき、ワイヤレスヘッドフォンと無線接続することで、接続相手となるヘッドフォンのデバイスＩＤを簡易に識別することで、接続処理時間を短縮できるため、好適な放送型サービスの実現する。【選択図】図４
2004120287.tif 000002
【特許請求の範囲】
【請求項１】
メモリに記録されている音楽情報を再生する再生手段と、この再生手段で再生された音楽情報を伝送する無線送信手段とを有する音楽再生装置と、
この音楽再生装置と無線接続し、前記音楽再生装置より伝送される音楽情報を受信するワイヤレスヘッドフォンとを有する音楽再生システムにおいて、
前記ワイヤレスヘッドフォンは、当該ヘッドフォンのデバイスＩＤを保持するデバイスＩＤ保持手段を有し、
前記音楽再生装置は、前記デバイスＩＤ保持手段に保持されているデバイスＩＤを読取る読取手段を有し、この読取手段で前記デバイスＩＤ保持手段に保持されているデバイスＩＤを読取ることで、前記ワイヤレスヘッドフォンのデバイスＩＤを識別し、この識別結果に基づき、前記ワイヤレスヘッドフォンと無線接続することを特徴とする無線音楽再生システム。
【請求項２】
前記ワイヤレスヘッドフォンのデバイスＩＤ保持手段は、デバイスＩＤをバーコードにより保持し、
前記音楽再生装置の読取手段は、前記デバイスＩＤ保持手段のバーコードを読取るバーコードリーダを有することを特徴とする請求項１記載の無線音楽再生システム。
【請求項３】
前記ワイヤレスヘッドフォンのデバイスＩＤ保持手段はメモリカードを有し、このメモリカードにデバイスＩＤを保持し、
前記音楽再生装置の読取手段は、前記デバイスＩＤ保持手段のメモリカードに保持されているデバイスＩＤを読取るカード読取手段を有することを特徴とする請求項１記載の無線音楽再生システム。
【請求項４】
メモリに記録されている音楽情報を再生し、かつこの再生された音楽情報を伝送する音楽再生装置と、この音楽再生装置を無線接続し、前記音楽再生装置より伝送される音楽情報を受信するワイヤレスヘッドフォンとから構成される無線音楽再生システムにおける音楽再生方法において、
前記ワイヤレスヘッドフォンにはバーコードにてデバイスＩＤを保持し、
前記音楽再生装置では、前記バーコードの情報を読み取り、
この読取ったデバイスＩＤ情報に基づき、無線接続するワイヤレスヘッドフォンを識別し、
この識別結果に基づき、前記メモリから再生された音楽情報を当該ワイヤレスヘッドフォンに無線伝送することを特徴とする音楽再生方法。
【請求項５】
メモリに記録されている音楽情報を再生し、かつこの再生された音楽情報を伝送する音楽再生装置と、この音楽再生装置を無線接続し、前記音楽再生装置より伝送される音楽情報を受信するワイヤレスヘッドフォンとから構成される無線音楽再生システムにおける音楽再生方法において、
前記ワイヤレスヘッドフォンにはメモリカードにデバイスＩＤを保持し、
前記音楽再生装置では、前記メモリカードに保持されているデバイスＩＤ情報を読み取り、
この読取ったデバイスＩＤ情報に基づき、無線接続するワイヤレスヘッドフォンを識別し、
この識別結果に基づき、前記メモリから再生された音楽情報を当該ワイヤレスヘッドフォンに無線伝送することを特徴とする音楽再生方法。
【発明の詳細な説明】
【０００１】
【発明の属する技術分野】
本発明は、音楽再生装置とワイヤレスヘッドフォンとをデジタル伝送の電波を用いて接続して音楽情報を再生する無線音楽再生システム及び再生方法に関し、特に、音楽再生装置とワイヤレスヘッドフォンとの無線接続を容易に行うことを可能とする無線音楽再生システム及び再生方法に関する。
【０００２】
【従来の技術】
従来、電子情報通信機器間を通信接続する場合、有線方式で行うのが一般的であるが、最近では、これに変えて無線方式を適用することでユーザビリティを高める試みがなされている。
【０００３】
近年、Ｂｌｕｅｔｏｏｔｈ（Ｒ）やＨｏｍｅＲＦ等のパーソナルエリアの無線技術の出現により、パーソナルコンピュータ、携帯電話等の電子情報通信機器に対して、これら無線インターフェースの採用が検討され、また実用化されている。
【０００４】
特にＢｌｕｅｔｏｏｔｈ（Ｒ）方式は、安価であること、更に、規格団体がその接続性を重視していることなどから、次世代の近距離無線通信の標準技術になると考えられている。また、このＢｌｕｅｔｏｏｔｈ（Ｒ）技術は、色々な分野への適用が期待されており、音楽再生装置等のＡＶ機器への応用にも大きな期待がもたれている。
【０００５】
このＡＶ機器への応用の一つとして考えられているのが、ワイヤレスヘッドフォンであり、このヘッドフォンを携帯型オーディオプレイヤと接続することにより、従来の接続ケーブルが不要となり、より快適なオーディオ再生環境が期待される。また、オーディオプレーヤとヘッドフォンとをケーブルで接続する場合には、オーディオプレーヤに複数のヘッドフォンが接続できない（複数接続する場合には、オーディオプレーヤ側にヘッドフォンと接続する複数のジャックを設ける必要がある）等の制約もあるが、ワイヤレスヘッドフォンを利用することで、この問題も解消される。
【０００６】
さらに、複数のワイヤレスヘッドフォンがオーディオプレーヤと容易に接続できることのメリットを活かし、例えば、公共の場での音楽再生、ＣＤショップの試聴システム、飛行機／電車内部でのオーディオサービスなど、色々なアプリケーションへの利用が考えられている。
このように色々なアプリケーションへの利用が考えられるＢｌｕｅｔｏｏｔｈ（Ｒ）を用いた無線通信を行うＡＶ機器において、無線通信を行うデバイス機器間を接続する際には、Ｉｎｑｕｉｒｙ（不特定のデバイス（Ｒｅｃｅｉｖｅｒ）にパケットを送信して応答処理するを行う処理）とＰａｇｉｎｇ（特定のデバイス（Ｒｅｃｅｉｖｅｒ）にパケットを送信して応答処理を行う処理）という処理を行うことが必要となる。これらの処理過程を経て、ＡＶ機器においても、例えば、オーディオプレーヤとワイヤレスヘッドフォンとが接続されデータの通信可能な状態となる。
【０００７】
すなわち、Ｂｌｕｅｔｏｏｔｈ（Ｒ）を用いた通信方式でのデバイス間接続では、デバイスＩＤ（デバイスの固有アドレス）が不明なデバイスに対して、Ｉｎｑｕｉｒｙを実行して当該情報を取得する必要があるが、この
Ｉｎｑｕｉｒｙの処理には、２．５６−１０．２４秒の処理時間が必要となる。
【０００８】
このようにデバイスＩＤを取得する上で、処理時間を費やすＩｎｑｕｉｒｙの処理を実行した場合、リアルタイムでのオーディオ再生（ストリーミング）に著しく影響を与え、最終的には音楽情報の品質を大幅に低下させる可能性がある。特に、複数のユーザが存在する放送型サービスを提供するようなシステムでは、サービス全体に対して致命的な問題となる可能性がある。
【０００９】
このようなデバイス接続の問題点を解決するために、下記の特許文献にて、放送サービスを提供する無線通信装置とは別に新たな無線通信装置を導入する方法が提案されている。
【００１０】
【特許文献１】
特開２００２−１５２２１２号公報
【００１１】
【発明が解決しようとする課題】
しかしながら、このような処理方法では、コストが増大するとともに、接続処理に多大な時間を費やすこととなり、接続処理時間の問題は解決できていない。
【００１２】
このような問題を解決するため、本発明においては、簡易な方法で接続する機器のデバイスＩＤを識別することができ、接続処理時間を短縮し、放送型サービスの実現に好適な無線音楽再生システム及び方法を提供することを目的とする。
【００１３】
【課題を解決するための手段】
本発明は、上記目的を達成するため、メモリに記録されている音楽情報を再生する再生手段と、この再生手段で再生された音楽情報を伝送する無線送信手段とを有する音楽再生装置と、この音楽再生装置と無線接続し、音楽再生装置で再生され伝送される音楽情報を受信するワイヤレスヘッドフォンとを有する音楽再生システムにおいて、ワイヤレスヘッドフォンは、当該ヘッドフォンのデバイスＩＤを保持するデバイスＩＤ保持手段を有し、音楽再生装置は、前記デバイスＩＤ保持手段に保持されているデバイスＩＤを読取る読取手段を有し、この読取手段でデバイスＩＤ保持手段に保持されているデバイスＩＤを読取ることで、ワイヤレスヘッドフォンのデバイスＩＤを識別し、この識別結果に基づき、ワイヤレスヘッドフォンと無線接続することを特徴とするものである。
【００１４】
この構成により、音楽再生装置では、無線接続するワイヤレスヘッドフォンのデバイスＩＤを非常に簡単な方法で識別することができる。
【００１５】
【発明の実施の形態】
以下、図面を参照して本発明の実施の形態について説明する。
【００１６】
本発明の一実施の形態においては、図１に示す通り、音楽再生装置１０は、放送型サービスを提供するために、複数のワイヤレスヘッドフォン１２と接続可能となるもので、例えば、ＣＤショップなどの試聴システムとして利用されるものである。
【００１７】
このシステムでは、音楽再生装置１０とヘッドフォン１２とが無線通信で接続して無線再生システムを構築することで、接続コードが不要であり、使用者の邪魔になることはない。さらに、音楽再生装置１０からデジタルの音楽データを無線で送信しているので、ワイヤレスヘッドフォン１２を複数用いて、複数の人が同じ音楽を同時に聞くことが可能となる。例えば、無線通信方式としてＢｌｕｅｔｏｏｔｈ（Ｒ）を用い場合には、７人が同じ音楽を同時に聴くことが可能となる。
【００１８】
次に、音楽再生装置１０の構成につき図２を参照して説明する。
【００１９】
図２に示す通り、音楽再生装置１０は、ＣＤ、ＭＤ等のメディアやメモリカード等のオーディオデータを格納するメモリ媒体２０から音楽を再生し、その再生したデジタルの音楽データを無線通信によりワイヤレスヘッドフォン１２へ送信する。この無線通信には、例えば、Ｂｌｕｅｔｏｏｔｈ（Ｒ）が用いられる。
Ｂｌｕｅｔｏｏｔｈ（Ｒ）は、短距離の無線通信規格で、２．４ＧＨｚ帯のＩＳＭ（Ｉｎｄｕｓｔｒｙ　Ｓｃｉｅｎｃｅ　Ｍｅｄｉｃａｌ）バンドを用いて通常１０ｍ以内の無線通信を実現するものである。
【００２０】
音楽再生装置１０は、メモリ媒体２０から読み出される音楽データを記憶する音楽ファイル２１で構成されるオーディオデータ格納手段２２、この音楽ファイル２１からデジタル送信データを生成するデジタル送信データ生成部２４、このデジタルデータを変調してワイヤレスヘッドフォン１２に無線送信するデジタルデータ変調部２５とから構成される無線通信手段２６とを備えている。さらに、音声データ格納手段２２及び無線通信手段２６とを制御するシステム制御部２８が設けられている。
【００２１】
また、この音楽再生装置１０は、ＣＤショップなどの試聴システムとして利用することを可能とするため、この音楽再生装置１０と接続するワイヤレスヘッドフォン１２のデバイスＩＤを取得するためのデバイス固有ＩＤ取得部３０を備えている。本発明の一実施の形態では、後述するようにワイヤレスヘッドフォン１２のデバイス固有ＩＤは、バーコードの形でヘッドフォン１２に貼付されているため、デバイス固有ＩＤ取得部３０はバーコードリーダによって構成されている。
【００２２】
次に、ワイヤレスヘッドフォン１２の構成に関して説明する。
【００２３】
ワイヤレスヘッドフォン１２は、円状のケース本体の一方の面にアンテナ、他方の面にスピーカが設けられた構成であり、音楽再生装置１０と無線通信により接続され、音楽再生装置１０から送られてくるデジタルの音楽データを受信し、この受信した音楽データをアナログに変換してスピーカを駆動する。
【００２４】
ワイヤレスヘッドフォン１２の内部構成は、図３に示す通りであり、音楽再生装置１０から送られてくるデータを受信する受信部５０、受信した音楽信号のエラーを検出して訂正するエラー検出訂正回路５２、この回路でエラー訂正された音楽データを格納するデータバッファ５４、このデータバッファ５４に格納されたデジタルデータを順次アナログ信号に変換して増幅し、スピーカ５８を駆動するＤ／Ａ変換アンプ回路５６とを備えている。
【００２５】
また、このワイヤレスヘッドフォン１２には、受信部５０、エラー検出訂正回路５２、データバッファ５４、Ｄ／Ａ変換アンプ回路５６及びスピーカ５８とを構成する音楽再生手段５９の各種動作を制御するシステム制御部６０が設けられている。このシステム制御部６０は、ＣＰＵ及びメモリなどのＣＰＵ周辺装置で構成されている。
【００２６】
さらに、このワイヤレスヘッドフォン１２には、無線通信に利用される当該ヘッドフォンのデバイス固有ＩＤを格納するデバイス固有ＩＤ保持部６２がある。本発明の一実施の形態におけるワイヤレスヘッドフォン１２では、デバイス固有ＩＤ保持部６２は、バーコードにより構成され、このバーコードを読み取ることによりワイヤレスヘッドフォン１２のデバイス固有ＩＤを識別することを可能とする。
【００２７】
すなわち、本発明の一実施の形態の音楽再生システムでは、図４に示す通り、ワイヤレスヘッドフォン１２のデバイス固有ＩＤ保持部６２にバーコードで登録されているデバイス固有ＩＤを音楽再生装置１０のデバイス固有ＩＤ取得部３０のバーコードリーダによって読み取ることで、音楽再生装置１０は、非常に容易にデバイス固有ＩＤを取得することができる。
【００２８】
上記のような構成を有することで、このヘッドフォン１２では、ＣＤショップなどのシステムにて、音楽再生装置１０と無線接続し、音楽再生装置１０で再生される音楽データをヘッドフォン１２で聴くことが可能となる。
【００２９】
次に、上述した構成で、音楽再生装置１０とワイヤレスヘッドフォン１２とで無線通信を行う際に、その無線通信を行うデバイス間の接続処理について、図５を参照して説明する。
【００３０】
デバイス間の接続処理を行う際には、Ｉｎｑｕｉｒｙ（不特定のデバイス
（Ｒｅｃｅｉｖｅｒ）にパケットを送信して応答処理するを行う処理）とＰａｇｉｎｇ（特定のデバイス（Ｒｅｃｅｉｖｅｒ）にパケットを送信して応答処理を行う処理）という処理を行う。
【００３１】
図５に示す通り、まず、音楽再生装置１０は、Ｉｎｑｕｉｒｙ　ｍｅｓｓａｇｅを各ヘッドフォンに送る。ワイヤレスヘッドフォン１２では、このｍｅｓｓａｇｅを受けて、当該ヘッドフォン１２のデバイス固有ＩＤである６バイトのＢＤＡＤＤＲ（Ｂｌｕｅｔｏｏｔｈ　Ｄｅｖｉｃｅ　Ａｄｄｒｅｓｓ）を音楽再生装置１０に登録する。
【００３２】
本実施の形態の場合には、ワイヤレスヘッドフォン１２のデバイス固有ＩＤは、デバイス固有ＩＤ保持部６２によりバーコードの形で記録されている。そのため、ワイヤレスヘッドフォン１２に設けられているバーコードを音楽再生装置１０に設けられているバーコードリーダ（デバイス固有ＩＤ取得部）３０にて読み取ることにより、ワイヤレスヘッドフォン１２のデバイス固有ＩＤを音楽再生装置１０に登録処理することができる。
【００３３】
次に、音楽再生装置１０は、登録されたＢＤ　ＡＤＤＲを含むＰａｇｉｎｇ　Ｍｅｓｓａｇｅを各ヘッドフォンに送信し、上記登録されたデバイス固有ＩＤを有するヘッドフォンに対して応答を呼びかける。これを受けて、当該デバイス固有ＩＤを有するワイヤレスヘッドフォン１２は、デバイス固有ＩＤを取得しているヘッドフォンであることを伝える信号（Ｃｏｎｎｅｃｔ　ＯＫ）を音楽再生装置１０側に送信する。これにより、無線通信を行うデバイス間の一連の接続処理が完了する。
【００３４】
この接続処理の完了を受けて、音楽再生装置１０は、ＡＶ　Ｓｅｒｖｉｃｅとして、音楽データをヘッドフォン１２側に送信する。ヘッドフォン１２側では、音楽データを受信した旨を伝える信号（Ｓｅｒｖｉｃｅ　ＯＫ）を音楽再生装置１０側に送信する。
【００３５】
この構成により、本発明の一実施の形態においては、音楽再生装置１０において、メモリ媒体２０から読み出される音楽データをデジタルデータに変調した上で、ワイヤレスヘッドフォン１２に無線通信され、ヘッドフォン１２側にてデジタルデータである音楽データをアナログデータに変換してスピーカ４４に送ることで、このヘッドフォン１２を利用するユーザが音楽データを聴くことができるようになる。
【００３６】
すなわち、本発明の一実施の形態では、バーコードリーダ３０によりワイヤレスヘッドフォン１２上に表示されたバーコード（ヘッドフォン１２のデバイス固有ＩＤを登録）を読み取ることにより、音楽再生装置１０は、簡単に必要とするデバイス固有ＩＤの情報を取得することができる。これにより、従来、２．５６−１０．２４秒の処理時間を費やしていたＩｎｑｕｉｒｙの処理時間が大幅に短縮することができ、簡便な方法でデバイスＩＤを取得することができるので、リアルタイムでのオーディオ再生（ストリーミング）にも影響を与えることなく、品質の良い音楽データの再生を可能とする。
【００３７】
そのため、本発明の一実施の形態の音楽再生システムでは、複数のユーザが存在するような放送型サービスを提供するようなシステムにも対応可能となる。
【００３８】
次に、本発明の第２の実施の形態の構成について説明する。
【００３９】
本発明の第２の実施の形態においては、図６に示す通り、ワイヤレスヘッドフォン１３のデバイス固有ＩＤをメモリカードに保存している。
【００４０】
すなわち、第２の実施の形態では、ワイヤレスヘッドフォン１３では、デバイス固有ＩＤ保持部６３を不揮発性メモリを内蔵したメモリカードで構成し、このメモリカードの中にワイヤレスヘッドフォン１３のデバイス固有ＩＤを登録する。
【００４１】
また、第２の実施の形態の音楽再生装置１１では、デバイス固有ＩＤ取得部３１をカード読取装置で構成し、さらに、ワイヤレスヘッドフォン１３に備えられたメモリカードを装着可能なカードスロットを備えた構成とすることで、メモリカードに登録されているデバイス固有ＩＤを読み取ることができる。
【００４２】
そのため、この音楽再生システムにおいても、ワイヤレスヘッドフォン１３のデバイス固有ＩＤ保持部６３としてメモリカードに登録されているデバイス固有ＩＤを音楽再生装置１１のカード読取装置で構成されるデバイス固有ＩＤ取得部３１で読み取ることで、音楽再生装置１１は、非常に容易に、かつ短い処理時間でデバイス固有ＩＤを取得することができる。
【００４３】
上記のような構成を有することで、ＣＤショップなどのシステムにおいて、非常に簡便な接続方法で、音楽再生装置１１とワイヤレスヘッドフォン１３とを無線接続することができ、音楽データをワイヤレスヘッドフォン１３で聴くことが可能となる。
【００４４】
以上説明した通り、本発明の音楽再生システムでは、音楽再生装置では、接続相手となるワイヤレスヘッドフォンのデバイスＩＤを非常に簡易な方法で識別することができることで、接続処理時間を短縮し、放送型サービスの実現に好適なものを提供することができる。
【００４５】
尚、本発明は上記実施の形態に限定されるものではなく、その要旨の範囲で種々変形して実施することが可能である。
【００４６】
例えば、音楽再生装置の無線通信にはＢｌｕｅｔｏｏｔｈ（Ｒ）が用いられているが、本発明はこれに限定されるものではなく、ＨｏｍｅＲＦ等の他の無線通信方式を適用することもできる。
【００４７】
【発明の効果】
以上詳述した通り本発明によれば、接続相手先となるデバイスＩＤを非常に簡易に識別することができることから、接続処理時間が短縮され、放送型サービスの実現に好適な無線再生システム及び方法を提供することができる。
【図面の簡単な説明】
【図１】本発明の実施の形態に係わる無線音楽再生システムの一構成例を示す図である。
【図２】図１に示される無線音楽再生システムを構成する音楽再生装置の一構成例を示す図である。
【図３】図１に示される無線音楽再生システムを構成するワイヤレスヘッドフォンの一構成例を示す図である。
【図４】本発明の第１の実施形態に係わるワイヤレスヘッドフォンのデバイス固有ＩＤの保持並びに読取方法の一構成を示す図である。
【図５】図２乃至図３に示される音楽再生装置とワイヤレスヘッドフォンの無線接続の方法を示す図である。
【図６】本発明の第２の実施形態に係わるワイヤレスヘッドフォンのデバイス固有ＩＤの保持並びに読取方法の一構成を示す図である。
【符号の説明】
１０、１１　…　音楽再生装置
１２、１３　…　ワイヤレスヘッドフォン
２８　　　　…　システム制御部
３０、３１　…　デバイス固有ＩＤ取得部
６０　　　　…　システム制御部
６２、６３　…　デバイス固有ＩＤ保持部
【図１】
2004120287.tif 000003
【図２】
2004120287.tif 000004
【図３】
2004120287.tif 000005
【図４】
2004120287.tif 000006
【図５】
2004120287.tif 000007
【図６】
2004120287.tif 000008